(57)【要約】      （修正有）【課題】円筒形ジョイントを強固に締付け固定できる、ツールチャックを提供する。【解決手段】本考案のツールチャックは、筐体と、挟持組３０と、押し棒４０と、を含み、筐体は開口部２１を備え、挟持組は筐体内に設けられ、第１把握爪３１と、第２把握爪３２と、スペーサー３３と、を備え、第１把握爪及び第２把握爪の一端が開口部に近接し、スペーサーが第１面３３１と、それとは反対側の第２面とを備え、第１面が開口部と向かい側の第１把握爪と第２把握爪との一端に当接し、第２面に位置決め溝が凹設され、押し棒は筐体に枢設され、押し棒の一端が位置決め溝に回転自在に挿設される。チャックは、上述の構造を介して他のジョイントタイプの工具に接続させることができる。【選択図】図２
0003234705.tif 000002
【実用新案登録請求の範囲】
【請求項１】
開口部を備えた筐体と、
前記筐体内に設けられ、第１把握爪と、第２把握爪と、スペーサーと、を備え、前記第１把握爪及び前記第２把握爪の一端が前記開口部に近接し、前記スペーサーが第１面と、前記第１面とは反対側の第２面とを備え、前記第１面が前記開口部と向かい側の前記第１把握爪と前記第２把握爪との一端に当接し、前記第２面に位置決め溝が凹設される挟持組と、
前記筐体に枢設され、押し棒の一端が前記位置決め溝に回転自在に挿設される押し棒と、
を含むツールチャック。
【請求項２】
前記筐体内に摺動面を有し、前記摺動面は前記開口部と隣り合い、リング状を呈し、前記摺動面の前記開口部に近接する端に前記押し棒の半径方向幅に沿って第１の幅を形成し、前記摺動面の前記開口部から離反する端に前記押し棒の半径方向幅に沿って第２の幅を形成し、前記第１の幅が前記第２の幅よりも小さく、前記第１把握爪及び前記第２把握爪が前記摺動面に移動可能に当接する請求項１に記載のツールチャック。
【請求項３】
前記筐体は、前蓋と、後蓋と、を含み、前記開口部が前記前蓋の一端に設けられ、前記摺動面が前記前蓋内に設けられ、前記後蓋が前記開口部と向かい側の前記前蓋の一端に連結され、前記後蓋が枢着孔を備え、前記押し棒が前記枢着孔に回転自在に挿設され、前記枢着孔内に第１ねじ部が設けられ、前記押し棒は半径方向外周に沿って第２ねじ部を備え、前記第２ねじ部が前記第１ねじ部に螺着され、前記押し棒は半径方向外周に沿って安定化部を備え、前記安定化部が円筒状を呈し、前記スペーサーと向かい側の前記第２ねじ部の一側に配置され、かつ前記安定化部は前記枢着孔内に摺動可能に設けられ、面接触方式で前記枢着孔の内周円に当接し、前記挟持組は第３把握爪と、第１弾性部材と、第２弾性部材と、第３弾性部材と、を備え、前記第３把握爪の一端が前記開口部に近接し、前記第１面が前記開口部と向かい側の前記第３把握爪の一端に当接し、前記第３把握爪が前記摺動面に移動可能に当接し、前記第１弾性部材の一端が前記第１把握爪に当接し、他端が前記第２把握爪に当接し、前記第２弾性部材の一端が前記第２把握爪に当接し、他端が前記第３把握爪に当接し、前記第３弾性部材の一端が前記第１把握爪に当接し、他端が前記第３把握爪に当接し、前記前蓋の内周縁に第１接続部が設けられ、前記摺動面は前記開口部と前記第１接続部との間に設けられ、前記後蓋の外周縁に第２接続部及びストップ凸縁が設けられ、前記第１接続部が前記第２接続部に嵌設され、前記開口部と向かい側の前記前蓋の一端が前記ストップ凸縁に当接し、前記後蓋の外周縁に凹溝が設けられ、前記凹溝内にＯリングが設けられ、前記Ｏリングは前記前蓋の内周縁に当接し、前記位置決め溝は前記スペーサーを貫通せず、前記第１面が円形平面を呈し、前記スペーサーと向かい側の前記押し棒の一端が前記筐体外に突出し、かつ駆動部が設けられ、前記駆動部が六角柱状を呈する請求項２に記載のツールチャック。
【考案の詳細な説明】
【技術分野】
【０００１】
本考案は、主にツールチャックに関し、特に、円筒形ジョイントを強固に締付け固定することができるツールチャックに関する。
【背景技術】
【０００２】
電動工具又は空気圧工具は、いずれも駆動軸側に特定のジョイントを設けることで、対応するジョイントタイプの駆動ヘッドを駆動させ、例えば電動ドライバーの駆動軸の一端に六角穴を設け、六角柱状ドライバーヘッドに接続できるが電動ドライバーにソケット又はその他の工具を接続する場合、アダプターを経由する必要がある。たとえそうであっても円筒形ドリルは、アダプターを介して接続することが容易でなかった。
【考案の概要】
【考案が解決しようとする課題】
【０００３】
本考案の主な目的は、筐体と、挟持組と、押し棒と、を含むツールチャックを提供することである。
【課題を解決するための手段】
【０００４】
前記筐体は、開口部を備え、前記挟持組は前記筐体内に設けられ、第１把握爪と、第２把握爪と、スペーサーと、を備え、前記第１把握爪及び前記第２把握爪の一端が前記開口部に近接し、前記スペーサーが第１面と、それとは反対側の第２面とを備え、前記第１面が前記開口部と向かい側の前記第１把握爪と前記第２把握爪との一端に当接し、前記第２面に位置決め溝が凹設され、前記押し棒は前記筐体に枢設され、前記押し棒の一端が前記位置決め溝に回転自在に挿設される。前記チャックは上述の構造を介して他のジョイントタイプの工具に接続させることができる。
【０００５】
前記筐体内に摺動面を有し、前記摺動面は前記開口部と隣り合い、リング状を呈し、前記摺動面の前記開口部に近接する端に前記押し棒の半径方向幅に沿って第１の幅を形成し、前記摺動面の前記開口部から離反する端に前記押し棒の半径方向幅に沿って第２の幅を形成し、前記第１の幅が前記第２の幅よりも小さく、前記第１把握爪及び前記第２把握爪が前記摺動面に移動可能に当接する。
【０００６】
前記筐体は、前蓋と、後蓋と、を含み、前記開口部が前記前蓋の一端に設けられ、前記摺動面が前記前蓋内に設けられ、前記後蓋が前記開口部と向かい側の前記前蓋の一端に連結され、前記後蓋が枢着孔を備え、前記押し棒が前記枢着孔に回転自在に挿設される。
【０００７】
前記枢着孔内に第１ねじ部が設けられ、前記押し棒は半径方向外周に沿って第２ねじ部を備え、前記第２ねじ部が前記第１ねじ部に螺着される。
【０００８】
前記押し棒は、半径方向外周に沿って安定化部を備え、前記安定化部が円筒状を呈し、前記スペーサーと向かい側の前記第２ねじ部の一側に配置され、かつ前記安定化部は前記枢着孔内に摺動可能に設けられ、面接触方式で前記枢着孔の内周円に当接する。
【０００９】
前記挟持組は、第３把握爪と、第１弾性部材と、第２弾性部材と、第３弾性部材と、を備え、前記第３把握爪の一端が前記開口部に近接し、前記第１面が前記開口部と向かい側の前記第３把握爪の一端に当接し、前記第３把握爪が前記摺動面に移動可能に当接し、前記第１弾性部材の一端が前記第１把握爪に当接し、他端が前記第２把握爪に当接し、前記第２弾性部材の一端が前記第２把握爪に当接し、他端が前記第３把握爪に当接し、前記第３弾性部材の一端が前記第１把握爪に当接し、他端が前記第３把握爪に当接する。
【００１０】
前記前蓋の内周縁に第１接続部が設けられ、前記摺動面は、前記開口部と前記第１接続部との間に設けられ、前記後蓋の外周縁に第２接続部及びストップ凸縁が設けられ、前記第１接続部が前記第２接続部に嵌設され、前記開口部と向かい側の前記前蓋の一端が前記ストップ凸縁に当接する。
【００１１】
前記後蓋の外周縁に凹溝が設けられ、前記凹溝内にＯリングが設けられ、前記Ｏリングは前記前蓋の内周縁に当接する。
【００１２】
前記位置決め溝は、前記スペーサーを貫通せず、前記第１面が円形平面を呈し、前記スペーサーと向かい側の前記押し棒の一端が前記筐体外に突出し、かつ駆動部が設けられ、前記駆動部が六角柱状を呈する。
【図面の簡単な説明】
【００１３】
【図１】本考案のツールチャックの立体外観図である。
【図２】本考案のツールチャックの立体分解図である。
【図３】本考案のツールチャックの別の角度から見た立体分解図である。
【図４】本考案のツールチャックの構造断面図である。
【図５】本考案ツールチャックの別の角度から見た構造断面図である。
【考案を実施するための形態】
【００１４】
図１乃至図５を参照すると、本考案のツールチャックの立体外観図、立体分解図及び構造断面図である。本考案のチャック１０は、筐体２０と、挟持組（挟持機構）３０と、押し棒４０と、を備える。
【００１５】
前記筐体２０は、開口部２１を備え、前記挟持組３０は前記筐体２０内に設けられる。
【００１６】
前記挟持組３０は前記筐体２０内に設けられ、第１把握爪３１と、第２把握爪３２と、スペーサー３３と、を備え、前記第１把握爪３１及び前記第２把握爪３２の一端が前記開口部２１に近接し、前記スペーサー３３が第１面３３１と、それとは反対側の第２面３３２とを備え、前記第１面３３１が前記開口部２１と向かい側の前記第１把握爪３１と前記第２把握爪３２との一端に当接し、前記第２面３３２に位置決め溝３３３が凹設される。
【００１７】
前記押し棒４０は前記筐体２０に枢設され、前記押し棒４０の一端が前記位置決め溝３３３に回転自在に挿設される。
【００１８】
前記筐体２０内に摺動面２２を有し、前記摺動面２２は前記開口部２１と隣り合い、リング状を呈し、前記摺動面２２の前記開口部２１に近接する端に前記押し棒４０の半径方向幅に沿って第１の幅Ｗ１を形成し、前記摺動面２２の前記開口部２１から離反する端に前記押し棒４０の半径方向幅に沿って第２の幅Ｗ２を形成し、前記第１の幅Ｗ１が前記第２の幅Ｗ２よりも小さく、前記第１把握爪３１及び前記第２把握爪３２が前記摺動面２２に移動可能に当接する。
【００１９】
前記筐体２０は、前蓋２３と、後蓋２４と、を含み、前記開口部２１が前記前蓋２３の一端に設けられ、前記摺動面２２が前記前蓋２３内に設けられ、前記後蓋２４が前記開口部２１と向かい側の前記前蓋２３の一端に連結され、前記後蓋２４が枢着孔２４１を備え、前記押し棒４０が前記枢着孔２４１に回転自在に挿設される。
【００２０】
前記枢着孔２４１内に第１ねじ部２４２が設けられ、前記押し棒４０は半径方向外周に沿って第２ねじ部４１を備え、前記第２ねじ部４１が前記第１ねじ部２４２に螺着される。
【００２１】
前記押し棒４０は、半径方向外周に沿って安定化部４２を備え、前記安定化部４２が円筒状を呈し、前記スペーサー３３と向かい側の前記第２ねじ部４１の一側に配置され、かつ前記安定化部４２は前記枢着孔２４１内に摺動可能に設けられ、面接触方式で前記枢着孔２４１の内周円に当接する。
【００２２】
前記挟持組３０は、第３把握爪３４と、第１弾性部材３５と、第２弾性部材３６と、第３弾性部材３７と、を備え、前記第３把握爪３４の一端が前記開口部２１に近接し、前記第１面３３１が前記開口部２１と向かい側の前記第３把握爪３４の一端に当接し、前記第３把握爪３４が前記摺動面２２に移動可能に当接し、前記第１弾性部材３５の一端が前記第１把握爪３１に当接し、他端が前記第２把握爪３２に当接し、前記第２弾性部材３６の一端が前記第２把握爪３２に当接し、他端が前記第３把握爪３４に当接し、前記第３弾性部材３７の一端が前記第１把握爪３１に当接し、他端が前記第３把握爪３４に当接する。
【００２３】
前記前蓋２３の内周縁に第１接続部２３１が設けられ、前記摺動面２２は、前記開口部２１と前記第１接続部２３１との間に設けられ、前記後蓋２４の外周縁に第２接続部２４３及びストップ凸縁２４４が設けられ、前記第１接続部２３１が前記第２接続部２４３に嵌設され、前記開口部２１と向かい側の前記前蓋２３の一端が前記ストップ凸縁２４４に当接する。
【００２４】
前記後蓋２４の外周縁に凹溝２４５が設けられ、前記凹溝２４５内にＯリング２４６が設けられ、前記Ｏリング２４６は前記前蓋２３の内周縁に当接する。
【００２５】
前記位置決め溝３３３は、前記スペーサー３３を貫通せず、前記第１面３３１が円形平面を呈し、前記スペーサー３３と向かい側の前記押し棒４０の一端が前記筐体２０外に突出し、かつ駆動部４３が設けられ、前記駆動部４３が六角柱状を呈する。
【００２６】
前記チャック１０は、上述の構造を介してその他のジョイントタイプの工具、特に円筒状シャンクを有するドリル等の工具に接続できる。前記スペーサー３３と前記押し棒４０の協働を利用して、前記押し棒４０は、前記スペーサー３３を介して前記第１把握爪３１、前記第２把握爪３２及び前記第３把握爪３４を押動することができ、前記位置決め溝３３３は前記スペーサー３３が変位することを防ぐと共に前記押し棒４０が円滑に回転できることを確保する。
【００２７】
上記から本考案には、以下の利点があることをまとめる。
１．本考案は、ツールチャックを提案する。ここで、チャックは、筐体と、挟持組と、押し棒と、を含み、前記筐体は開口部を備え、前記挟持組は前記筐体内に設けられ、第１把握爪と、第２把握爪と、スペーサーと、を備え、前記第１把握爪及び前記第２把握爪の一端が前記開口部に近接し、前記スペーサーが第１面と、それとは反対側の第２面とを備え、前記第１面が前記開口部と向かい側の前記第１把握爪と前記第２把握爪との一端に当接し、前記第２面に位置決め溝が凹設され、前記押し棒は前記筐体に枢設され、前記押し棒の一端が前記位置決め溝に回転自在に挿設される。前記チャックは上述の構造を介して他のジョイントタイプの工具に接続させることができる。
【符号の説明】
【００２８】
１０  チャック
２０  筐体
２１  開口部
２２  摺動面
２３  前蓋
２３１  第１接続部
２４  後蓋
２４１  枢着孔
２４２  第１ねじ部
２４３  第２接続部
２４４  ストップ凸縁
２４５  凹溝
２４６  Ｏリング
３０  挟持組
３１  第１把握爪
３２  第２把握爪
３３  スペーサー
３３１  第１面
３３２  第２面
３３３  位置決め溝
３４  第３把握爪
３５  第１弾性部材
３６  第２弾性部材
３７  第３弾性部材
４０  押し棒
４１  第２ねじ部
４２  安定化部
４３  駆動部
Ｗ１  第１の幅
Ｗ２  第２の幅
【図１】
0003234705.tif 000003
【図２】
0003234705.tif 000004
【図３】
0003234705.tif 000005
【図４】
0003234705.tif 000006
【図５】
0003234705.tif 000007